(57)【要約】      （修正有）【課題】学習者が参考書の問題を解いて解答表示欄に表示した後、その解答表示欄にチェックされた答が正答であるかどうかを直ちに確認でき、収録された付録を切り取る必要なしに正答を確認できる学習参考書を提供する。【解決手段】学習内容を評価するための問題項目２に関する客観式解答肢３と、前記解答肢３に対する解答を表記するための解答表記部４と、以前ページの解答表記部４の正答をチェックするための前面用正答穿孔部５と、から構成される。問題ページ６の問題項目２の理解度を高めるための問題解説７の解説ページを一ページ捲って問題ページ６に重ねたとき、前記問題ページ６の解答表記部４の正答位置に置かれる正答穿孔部８と学習参考書１を広げたときに問題ページ６に対向する解説ページ９とが連続的に繰り返されるように結束する結束部１０を構成する。【選択図】図１ａ
0003121961.tif 000002
【実用新案登録請求の範囲】
【請求項１】
参考書において、学習内容を評価するための問題項目と、各問題項目に関する客観式解答肢と、前記解答肢に対する解答を表記するための解答表記部と、以前ページの解答表記部の正答をチェックするための前面用正答穿孔部と、から構成される問題ページと；
前記問題ページの問題項目の理解度を高めるための問題解説と、前記問題解説のある解説ページを一ページ捲って問題ページに重ねたとき、前記問題ページの解答表記部の正答位置に置かれる正答穿孔部と、から構成され、学習参考書を広げたときに問題ページに対向する解説ページと；
前記問題ページと前記解説ページとが連続的に繰り返されるように結束する結束部と；
を含んで構成されることを特徴とする正答確認が容易な学習参考書。
【請求項２】
参考書の左側ページにおいて学習内容を評価する問題ページと、前記問題ページにおける各問題項目の解答肢の左側に解答を表記するための左側解答表記部と、参考書の右側ページにおいて問題解きを助ける解説ページと、前記解説ページを左側に捲って左側の問題ページに重ねたとき、前記問題ページの左側解答表記部に重なって正答を判別及びマークする右端正答穿孔部と；
前記右端正答穿孔部のある解説ページを左側に捲って重ねた後、広げられる面の左側ページにおいて学習内容を継続して評価する裏面問題ページと、前記裏面問題ページにおける各問題項目の解答肢の右側に解答を表記するための右側解答表記部と、前記参考書の右側ページにおいて学習内容を評価するための問題解きを助ける裏面解説ページと、前記裏面解説ページを左側に捲って左側の裏面問題ページに重ねたとき、前記裏面問題ページの右側解答表記部に重なって正答を判別及びマークする左端正答穿孔部と；
前記問題ページ及び解説ページと前記裏面問題ページ及び裏面解説ページとが繰り返されるように結束するスプリング結束部と；を含んで構成されることを特徴とする請求項１に記載の正答確認が容易な学習参考書。
【請求項３】
前記学習参考書の結束部は、スプリング結束部、書冊用ボンディング接着結束手段及びバインディング結束手段のうちいずれか一つであることを特徴とする請求項１に記載の正答確認が容易な学習参考書。
【請求項４】
前記解答表記部は、矩形状、円状、三角形状、五角形状及び星状のうちいずれか一つに形成されることを特徴とする請求項１に記載の正答確認が容易な学習参考書。
【請求項５】
参考書の右側ページにおいて学習内容を評価する問題ページと、前記問題ページにおける各問題項目の解答肢の左側に解答を表記するための左側解答表記部と、前記参考書の左側ページにおいて問題解きを助ける解説ページと、前記解説ページを右側に一ページ捲って右側の問題ページに重ねたとき、前記問題ページの左側解答表記部に重なって正答を判別及びマークする右端正答穿孔部と；
前記右端正答穿孔部のある解説ページを右側に捲って重ねた後、広げられる面の右側ページにおいて学習内容を継続して評価する裏面問題ページと、前記裏面問題ページにおける各問題項目の解答肢の右側に解答を表記するための右側解答表記部と、前記参考書の左側ページにおいて問題解きを助ける裏面解説ページと、前記裏面解説ページを右側に捲って右側の裏面問題ページに重ねたとき、前記裏面問題ページの右側解答表記部に重なって正答を判別及びマークする左端正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【請求項６】
参考書の左側ページにおいて学習内容を評価する問題ページと、前記問題ページにおける各問題項目の解答肢の左側に解答を表記するための外左側解答表記部と、前記参考書の右側ページにおいて学習内容を評価するための問題解きを助ける解説ページと、前記解説ページを左側に捲って左側の問題ページを重ねたとき、前記問題ページの外左側解答表記部に重なって正答を判別及びマークする外右端正答穿孔部と；
前記外右端正答穿孔部のある解説ページを左側に捲って重ねた後、広げられる面の左側ページにおいて学習内容を継続して評価する裏面問題ページと、前記裏面問題ページにおける各問題項目の解答肢の内左側に解答を表記するための内左側解答表記部と、前記裏面問題ページの右側ページにおいて問題解きを助ける裏面解説ページと、前記裏面解説ページを左側に捲って左側の裏面問題ページに重ねたとき、前記裏面問題ページの内左側解答表記部に重なって正答を判別及びマークする内右端正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【請求項７】
４肢択一型の代りに２肢択一型問題を有する学習参考書において、参考書の左側ページにおいて学習内容を評価する問題ページと、前記問題ページにおける各問題項目の左側にオーまたはエックスの解答を表記するための左側解答表記部と、前記参考書の右側ページにおいて問題解きを助ける解説ページと、前記解説ページの右側のページを左側に捲って左側の問題ページに重ねたとき、前記問題ページの左側解答表記部に重なって正答を判別及びマークする右端正答穿孔部と；
前記右端正答穿孔部のある解説ページを左側に捲って重ねた後、広げられる面の左側ページにおいて学習内容を継続して評価する裏面問題ページと、前記裏面問題ページにおける各問題項目の左側に解答を表記するための左側解答表記部と、前記解答表記部の右側ページにおいて問題解きを助ける裏面解説ページと、前記裏面解説ページを左側に捲って左側の裏面問題ページに重ねたとき、前記裏面問題ページの左側解答表記部に重なって正答を判別及びマークする右端正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【請求項８】
参考書の上側ページにおいてスプリング結束部に対して平行に記載される学習内容を評価する問題ページと、前記問題ページにおける各問題項目の解答肢の左側に解答を表記するための左上側解答表記部と、前記参考書の下側ページにおいてスプリング結束部に対して平行に記載される学習内容の問題解きを助ける解説ページと、前記解説ページの下側ページを上側に捲って上側の問題ページに重ねたとき、前記問題ページの左上側解答表記部に重なって正答を判別及びマークする左下端正答穿孔部と；
前記左下端正答穿孔部のある解説ページを上側に捲って重ねた後、広げられる面の上側ページにおいて学習内容を継続して評価する裏面問題ページと、前記裏面問題ページにおける各問題項目の解答肢の右側に解答を表記するための右上側解答表記部と、前記参考書の下側ページにおいて問題解きを助ける裏面解説ページと、前記裏面解説ページを上側に捲って上側の裏面問題ページに重ねたとき、前記裏面問題ページの右側解答表記部に重なって正答を判別及びマークする右下端正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【請求項９】
参考書の左側ページにおいて学習内容を評価する問題ページと、前記問題ページにおける問題項目の上端に解答を表記するための上端解答表記部と、前記参考書の右側ページにおいて問題解きを助ける解説ページと、前記解説ページを左側に捲って左側の問題ページに重ねたとき、前記問題ページの上端解答表記部に重なって正答を判別及びマークする上端正答穿孔部と；
前記上端正答穿孔部のある解説ページを左側に捲って重ねた後、広げられる面の左側ページにおいて学習内容を継続して評価する裏面問題ページと、前記裏面問題ページにおける問題項目の下端に解答を表記するための下端解答表記部と、前記参考書の右側ページにおいて問題解きを助ける裏面解説ページと、前記裏面解説ページを左側に捲って左側の裏面問題ページに重ねたとき、前記裏面問題ページの下端解答表記部に重なって正答を判別及びマークする下端正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【請求項１０】
参考書の左側ページにおいて学習内容を評価する問題ページと、前記問題ページの問題項目の左側部に解答を表記するための左側部解答表記部と、前記参考書の右側ページにおいて問題解きを助ける解説ページと、前記解説ページを左側に捲って左側の問題ページに重ねたとき、前記問題ページの左側部解答表記部に重なって正答を判別及びマークする右側部正答穿孔部と；
前記右側部正答穿孔部のある解説ページを左側に捲って重ねた後、広げられる面の左側ページにおいて学習内容を継続して評価する裏面問題ページと、前記裏面問題ページの問題項目の右側部に解答を表記するための右側部解答表記部と、前記参考書の右側ページにおいて問題解きを助ける裏面解説ページと、前記裏面解説ページを左側に捲って左側の裏面問題ページに重ねたとき、前記裏面問題ページの右側部解答表記部に重なって正答を判別及びマークする左側部正答穿孔部と；
前記問題ページ及び解説ページと前記裏面問題ページ及び裏面解説ページとが繰り返されるように結束するスプリング結束部と；から構成されることを特徴とする請求項１に記載の正答確認が容易な学習参考書。
【考案の詳細な説明】
【技術分野】
【０００１】
本考案は、正答確認が容易な学習参考書に関するもので、詳しくは、学習者が学習過程で問題を解いた後、問題解説欄を用いることで、直ちに正答確認を行える学習参考書に関するものである。
【背景技術】
【０００２】
一般に、学習参考書は、学生、考試生、就職生及び会社員などの受験生たちが用いており、これら学習参考書は、学習能率を高めるために、問題欄、問題解説欄及び正答欄などから構成される。
【０００３】
学習参考書は、学習内容の理解度を確かめたり、問題に対する試験実力を高めるためのものである。通常、学習参考書には、その一面に多数の問題が記載されており、その下部や他のページの所定位置に正答及び問題解説が記載されるか、または、その一番後ろに正答及び解説が付録として添付される。
【０００４】
しかしながら、このような学習参考書は、その後ろの付録を切り取る構造となっており、本の破損を引き起こすという問題点があった。また、付録を切り取らずに用いる場合、正答確認において不便さ、時間浪費及び学習能率の低下などの問題点があった。
【０００５】
上記のような従来の問題点を解決するために、図８に示すように、正答及び解説を別途に収録した別冊１１２を挿入できるように、本冊１１１に空間１１３を設けた学習参考書が特許文献１において開示されている。しかしながら、この特許文献１に記載の学習参考書においては、別途に備わった別冊１１２を紛失した場合、本冊１１１が無用になり、かつ、本冊１１１に収録された各問題と一致する正答を別冊１１２から一つずつ探すために別冊１１２を本冊１１１と共に広げておくべきであって、効率的でないという問題点があった。
【０００６】
上記の問題点を解決するために、図９に示すように、問題ページの横に広がったページに問題の正答および解説を記載する学習参考書も公知されているが、この学習参考書においては、問題の直ぐ横に正答および問題解説が記載されるため、無意識に正答を認識することで学習能率が低下するという問題点があった。
【特許文献１】大韓民国特許登録第１０-０２６９９５０号
【考案の開示】
【考案が解決しようとする課題】
【０００７】
本考案は、上記の問題点を解決するためになされたもので、学習者が参考書の問題を解いて解答表示欄に表示した後、その解答表示欄にチェックされた答が正答であるかどうかを直ちに確認できる学習参考書を提供することを目的とする。
【０００８】
また、本考案は、学習者が参考書の問題を解いた後、正答をチェックするために、正答が収録された付録を切り取る必要なしに正答を確認できる学習参考書を提供することを目的とする。
【０００９】
また、本考案は、学習者が参考書の問題を解いた後、正答チェックのために費やされる時間および努力を減少して学習能率を高められる学習参考書を提供することを目的とする。
【課題を解決するための手段】
【００１０】
上記の目的を達成するために、本考案が採った手段は以下の通りである。
まず請求項１に係る考案は、参考書において、学習内容を評価するための問題項目と、各問題項目に関する客観式解答肢と、前記解答肢に対する解答を表記するための解答表記部と、以前ページの解答表記部の正答をチェックするための前面用正答穿孔部と、から構成される問題ページと；前記問題ページの問題項目の理解度を高めるための問題解説と、前記問題解説のある解説ページを一ページ捲って問題ページに重ねたとき、前記問題ページの解答表記部の正答位置に置かれる正答穿孔部と、から構成され、学習参考書を広げたときに問題ページに対向する解説ページと；前記問題ページと前記解説ページとが連続的に繰り返されるように結束する結束部と；を含んで構成されることを特徴とする正答確認が容易な学習参考書である。
【００１１】
次に請求項２に係る考案は、参考書の左側ページにおいて学習内容を評価する問題ページと、前記問題ページにおける各問題項目の解答肢の左側に解答を表記するための左側解答表記部と、参考書の右側ページにおいて問題解きを助ける解説ページと、前記解説ページを左側に捲って左側の問題ページに重ねたとき、前記問題ページの左側解答表記部に重なって正答を判別及びマークする右端正答穿孔部と；前記右端正答穿孔部のある解説ページを左側に捲って重ねた後、広げられる面の左側ページにおいて学習内容を継続して評価する裏面問題ページと、前記裏面問題ページにおける各問題項目の解答肢の右側に解答を表記するための右側解答表記部と、前記参考書の右側ページにおいて学習内容を評価するための問題解きを助ける裏面解説ページと、前記裏面解説ページを左側に捲って左側の裏面問題ページに重ねたとき、前記裏面問題ページの右側解答表記部に重なって正答を判別及びマークする左端正答穿孔部と；前記問題ページ及び解説ページと前記裏面問題ページ及び裏面解説ページとが繰り返されるように結束するスプリング結束部と；を含んで構成されることを特徴とする請求項１に記載の正答確認が容易な学習参考書である。
【００１２】
また請求項３に係る考案は、前記学習参考書の結束部は、スプリング結束部、書冊用ボンディング接着結束手段及びバインディング結束手段のうちいずれか一つであることを特徴とする請求項１に記載の正答確認が容易な学習参考書である。
【００１３】
さらに請求項４に係る考案は、前記解答表記部は、矩形状、円状、三角形状、五角形状及び星状のうちいずれか一つに形成されることを特徴とする請求項１に記載の正答確認が容易な学習参考書である。
【００１４】
請求項５に係る考案は、参考書の右側ページにおいて学習内容を評価する問題ページと、前記問題ページにおける各問題項目の解答肢の左側に解答を表記するための左側解答表記部と、前記参考書の左側ページにおいて問題解きを助ける解説ページと、前記解説ページを右側に一ページ捲って右側の問題ページに重ねたとき、前記問題ページの左側解答表記部に重なって正答を判別及びマークする右端正答穿孔部と；前記右端正答穿孔部のある解説ページを右側に捲って重ねた後、広げられる面の右側ページにおいて学習内容を継続して評価する裏面問題ページと、前記裏面問題ページにおける各問題項目の解答肢の右側に解答を表記するための右側解答表記部と、前記参考書の左側ページにおいて問題解きを助ける裏面解説ページと、前記裏面解説ページを右側に捲って右側の裏面問題ページに重ねたとき、前記裏面問題ページの右側解答表記部に重なって正答を判別及びマークする左端正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【００１５】
請求項６に係る考案は、参考書の左側ページにおいて学習内容を評価する問題ページと、前記問題ページにおける各問題項目の解答肢の左側に解答を表記するための外左側解答表記部と、前記参考書の右側ページにおいて学習内容を評価するための問題解きを助ける解説ページと、前記解説ページを左側に捲って左側の問題ページを重ねたとき、前記問題ページの外左側解答表記部に重なって正答を判別及びマークする外右端正答穿孔部と；前記外右端正答穿孔部のある解説ページを左側に捲って重ねた後、広げられる面の左側ページにおいて学習内容を継続して評価する裏面問題ページと、前記裏面問題ページにおける各問題項目の解答肢の内左側に解答を表記するための内左側解答表記部と、前記裏面問題ページの右側ページにおいて問題解きを助ける裏面解説ページと、前記裏面解説ページを左側に捲って左側の裏面問題ページに重ねたとき、前記裏面問題ページの内左側解答表記部に重なって正答を判別及びマークする内右端正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【００１６】
請求項７に係る考案は、４肢択一型の代りに２肢択一型問題を有する学習参考書において、参考書の左側ページにおいて学習内容を評価する問題ページと、前記問題ページにおける各問題項目の左側にオー(○)またはエックス(×)の解答を表記するための左側解答表記部と、前記参考書の右側ページにおいて問題解きを助ける解説ページと、前記解説ページの右側のページを左側に捲って左側の問題ページに重ねたとき、前記問題ページの左側解答表記部に重なって正答を判別及びマークする右端正答穿孔部と；前記右端正答穿孔部のある解説ページを左側に捲って重ねた後、広げられる面の左側ページにおいて学習内容を継続して評価する裏面問題ページと、前記裏面問題ページにおける各問題項目の左側に解答を表記するための左側解答表記部と、前記解答表記部の右側ページにおいて問題解きを助ける裏面解説ページと、前記裏面解説ページを左側に捲って左側の裏面問題ページに重ねたとき、前記裏面問題ページの左側解答表記部に重なって正答を判別及びマークする右端正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【００１７】
請求項８に係る考案は、参考書の上側ページにおいてスプリング結束部に対して平行に記載される学習内容を評価する問題ページと、前記問題ページにおける各問題項目の解答肢の左側に解答を表記するための左上側解答表記部と、前記参考書の下側ページにおいてスプリング結束部に対して平行に記載される学習内容の問題解きを助ける解説ページと、前記解説ページの下側ページを上側に捲って上側の問題ページに重ねたとき、前記問題ページの左上側解答表記部に重なって正答を判別及びマークする左下端正答穿孔部と；前記左下端正答穿孔部のある解説ページを上側に捲って重ねた後、広げられる面の上側ページにおいて学習内容を継続して評価する裏面問題ページと、前記裏面問題ページにおける各問題項目の解答肢の右側に解答を表記するための右上側解答表記部と、前記参考書の下側ページにおいて問題解きを助ける裏面解説ページと、前記裏面解説ページを上側に捲って上側の裏面問題ページに重ねたとき、前記裏面問題ページの右側解答表記部に重なって正答を判別及びマークする右下端正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【００１８】
請求項９に係る考案は、参考書の左側ページにおいて学習内容を評価する問題ページと、前記問題ページにおける問題項目の上端に解答を表記するための上端解答表記部と、前記参考書の右側ページにおいて問題解きを助ける解説ページと、前記解説ページを左側に捲って左側の問題ページに重ねたとき、前記問題ページの上端解答表記部に重なって正答を判別及びマークする上端正答穿孔部と；前記上端正答穿孔部のある解説ページを左側に捲って重ねた後、広げられる面の左側ページにおいて学習内容を継続して評価する裏面問題ページと、前記裏面問題ページにおける問題項目の下端に解答を表記するための下端解答表記部と、前記参考書の右側ページにおいて問題解きを助ける裏面解説ページと、前記裏面解説ページを左側に捲って左側の裏面問題ページに重ねたとき、前記裏面問題ページの下端解答表記部に重なって正答を判別及びマークする下端正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【００１９】
そして請求項１０に係る考案は、参考書の左側ページにおいて学習内容を評価する問題ページと、前記問題ページの問題項目の左側部に解答を表記するための左側部解答表記部と、前記参考書の右側ページにおいて問題解きを助ける解説ページと、前記解説ページを左側に捲って左側の問題ページに重ねたとき、前記問題ページの左側部解答表記部に重なって正答を判別及びマークする右側部正答穿孔部と；前記右側部正答穿孔部のある解説ページを左側に捲って重ねた後、広げられる面の左側ページにおいて学習内容を継続して評価する裏面問題ページと、前記裏面問題ページの問題項目の右側部に解答を表記するための右側部解答表記部と、前記参考書の右側ページにおいて問題解きを助ける裏面解説ページと、前記裏面解説ページを左側に捲って左側の裏面問題ページに重ねたとき、前記裏面問題ページの右側部解答表記部に重なって正答を判別及びマークする左側部正答穿孔部と；前記問題ページ及び解説ページと前記裏面問題ページ及び裏面解説ページとが繰り返されるように結束するスプリング結束部と；から構成されることを特徴とする請求項１に記載の正答確認が容易な学習参考書である。
【考案の効果】
【００２０】
本考案によると、学習者が参考書の問題を解いて解答表示欄に表示した後、その解答表示欄にチェックされた答が正答であるかどうかを直ちに確認できるという効果がある。
【００２１】
また、本考案は、学習者が参考書の問題を解いた後、正答をチェックするために、正答が収録された付録を切り取る必要なしに正答を確認できるという効果がある。
【００２２】
また、本考案は、学習者が参考書の問題を解いた後、正答チェックのために費やされる時間および努力を減少して学習能率を高められるという効果がある。
【考案を実施するための最良の形態】
【００２３】
以下、本考案に対し、図面に基づいて詳しく説明する。
【００２４】
図１ａは、本考案による正答確認が容易な学習参考書を示した図である。
【００２５】
図１ａに示すように、学習参考書１において、学習内容を評価するための問題項目２と、各問題項目２に関する客観式解答肢３と、これら解答肢３に対する解答を表記するための解答表記部４と、以前ページの解答表記部４の正答をチェックするための前面用正答穿孔部５と、から問題ページ６が構成される。この問題ページ６には、学習内容を評価及び試験するための問題項目２が記載され、各問題項目２に関する客観式解答肢３が羅列・記載される。ここで、前記解答肢３は、４肢択一型として示されているが、これに限定されるものではない。前記解答肢３には、各問題項目２に対する解答を表記するための解答表記部４が各解答肢３に合わせて表示される。すなわち、学習者が解いた解答は前記解答表記部４に表示(チェック)され、前記問題ページ６における解答表記部４の右側空間には、以前ページの解答表記部４の正答をチェックするための前面用正答穿孔部５が穿孔される。この正答穿孔部５は、前面の解答表記部の正答位置に置かれる。
【００２６】
また、図１ａに示すように、学習参考書１の広げられた面の右側には、前記問題ページ６の問題項目２の理解度を高めるための問題解説７が記載される。この問題解説７は、左側の問題ページ６の問題を解いたり理解するのに充分な内容で記載されており、別途の注釈や説明例が詳しく記載される。このような問題解説７のある解説ページ９を左側に一ページ捲って左側の問題ページ６に重ねたとき、正答穿孔部８が前記問題ページ６の解答表記部４の正答位置に置かれる。したがって、学習者は、学習参考書を持って勉強するとき、評価した問題の解答を解いた後、正答を確認するために苦労したり、各問題項目に合った正答を一々探すべきであるという問題点がなくなり、次のページを捲るだけで、直ちに正答確認が可能になる。この場合、問題の正答を確認するための時間を短縮できるとともに、正答を探すときに発生する非効率性を防止することで学習能率を高められる。
【００２７】
また、本考案の学習参考書１には、前記問題ページ６および前記解説ページ９が繰り返されるように結束する結束部１０が備わる。前記学習参考書１の結束部１０は、図１に例示したスプリングに限定されず、書冊用ボンディング接着結束手段やバインディング結束手段も用いることができる。
【００２８】
図１ｂ、図１ｃ、図１ｄ及び図１ｅは、図１ａの解答表記部４が、矩形状の代りに円状、三角形状、五角形状、星状にそれぞれ形成される他の具現例を示した図である。
【００２９】
図２ａ及び２ｂは、本考案による正答確認が容易な学習参考書の詳細な具現例を示した図である。
【００３０】
すなわち、図２ａに示すように、本考案の学習参考書１は、左側ページにおいて学習内容を評価する問題ページ６と、この問題ページ６における各問題項目２の解答肢３の左側に解答を表記するための左側解答表記部４と、前記参考書１の右側ページにおいて問題解きを助ける解説ページ９と、この解説ページ９を左側に捲って左側の問題ページ６に重ねたとき、前記問題ページ６の左側解答表記部４に重ねられて正答を判別及びマークする右端正答穿孔部８と、から構成される。
【００３１】
図２ｂは、図２ａの学習参考書を左側に一ページ捲った状態を示している。すなわち、本考案による学習参考書１は、前記右端正答穿孔部８のある解説ページ９を左側に捲って重ねた後、広げられる面の左側ページにおいて学習内容を継続して評価する裏面問題ページ１１と、この裏面問題ページ１１における各問題項目１２の解答肢１３の右側に解答を表記するための右側解答表記部４１と、前記参考書１の右側ページにおいて学習内容を評価するための問題解きを助ける裏面解説ページ１５と、この裏面解説ページ１５を左側に捲って左側の裏面問題ページ１１に重ねたとき、前記裏面問題ページ１１の右側解答表記部４１に重ねられて正答を判別及びマークする左端正答穿孔部１６と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図２ａ及び図２ｂに例示したスプリングに限定されることなく、書冊用ボンディング接着結束手段やバインディング結束手段を用いることもできる。
【００３２】
図２ｃ及び図２ｄは、本考案による正答確認が容易な学習参考書の詳細な具現例を示した図で、図２ａ及び図２ｂの問題ページおよび解説ページの左右が逆方向に構成されている。
【００３３】
図２ｃに示すように、本考案の学習参考書１は、右側ページにおいて学習内容を評価する問題ページ６'と、この問題ページ６’における各問題項目２の解答肢３の左側に解答を表記するための左側解答表記部４'と、前記参考書１の左側ページにおいて問題解きを助ける解説ページ９'と、この解説ページ９'を右側に一ページ捲って右側の問題ページ６'に重ねたとき、前記問題ページ６'の左側解答表記部４'に重なって正答を判別及びマークする右端正答穿孔部８'と、から構成される。
【００３４】
図２ｄは、図２ｃの学習参考書を右側に一ページ捲った状態を示している。前記右端正答穿孔部８'のある解説ページ９'を右側に捲って重ねた後、広げられる面の右側ページにおいて学習内容を継続して評価する裏面問題ページ１１'と、この裏面問題ページ１１'における各問題項目１２の解答肢１３の右側に解答を表記するための右側解答表記部４１'と、前記参考書１の左側ページにおいて問題解きを助ける裏面解説ページ１５'と、この裏面解説ページ１５'を右側に捲って右側の裏面問題ページ１１'に重ねたとき、前記裏面問題ページ１１'の右側解答表記部４１'に重なって正答を判別及びマークする左端正答穿孔部１６'と、から構成される。本考案の学習参考書１には、前記問題ページ６'及び解説ページ９'と前記裏面問題ページ１１'及び裏面解説ページ１５'とが繰り返されるように結束するスプリング結束部１０が備わる。ここで、前記学習参考書１の結束部は、図２ｃ及び図２ｄに例示されたスプリングに限定されることなく、書冊用ボンディング接着結束手段やバインディング結束手段を用いることもできる。
【００３５】
図３ａ及び図３ｂは、本考案による正答確認が容易な学習参考書のさらに他の具現例を示した図である。
【００３６】
すなわち、図３ａに示すように、学習参考書１は、左側ページにおいて学習内容を評価する問題ページ６と、この問題ページ６における各問題項目２の解答肢３の左側に解答を表記するための外左側解答表記部４２と、前記参考書１の右側ページにおいて学習内容を評価するための問題解きを助ける解説ページ９と、この解説ページ９の右側にページを捲って左側の問題ページ６に重ねたとき、前記問題ページ６の外左側解答表記部４２に重なって正答を判別及びマークする外右端正答穿孔部８１と、から構成される。
【００３７】
図３ｂは、図３ａの学習参考書を一ページ捲った状態を示している。前記外右端正答穿孔部８１のある解説ページ９を左側に捲って重ねた後、広げられる面の左側ページにおいて学習内容を継続して評価する裏面問題ページ１１と、この裏面問題ページ１１における各問題項目１２の解答肢１３の内左側に解答を表記するための内左側解答表記部４３と、参考書１の右側ページにおいて問題解きを助ける裏面解説ページ１５と、この裏面解説ページ１５を左側に捲って左側の裏面問題ページ１１に重ねたとき、この裏面問題ページ１１の内左側解答表記部４３に重なって正答を判別及びマークする内右端正答穿孔部８２と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図３ａ及び図３ｂに例示したスプリングに限定されることなく、書冊用ボンディング接着結束手段やバインディング結束手段を用いることもできる。
【００３８】
図４ａ及び図４ｂは、本考案による正答確認が容易な学習参考書のさらに他の具現例を示した図である。
【００３９】
すなわち、図４ａには、４肢択一型の代りに２肢択一型問題を有する学習参考書が示されており、この学習参考書１は、左側ページにおいて学習内容を評価する問題ページ６と、この問題ページ６における各問題項目２の左側にオー(○)またはエックス(×)の解答を表記するための左側解答表記部４４と、前記参考書１の右側ページにおいて問題解きを助ける解説ページ９と、この解説ページ９を左側に捲って左側の問題ページ６に重ねたとき、前記問題ページ６の左側解答表記部４４に重なって正答を判別及びマークする右端正答穿孔部８３と、から構成される。
【００４０】
図４ｂは、図４ａの学習参考書を一ページ捲った状態を示している。前記右端正答穿孔部８３のある解説ページ９を左側に捲って重ねた後、広げられる面の左側ページにおいて学習内容を継続して評価する裏面問題ページ１１と、この裏面問題ページ１１における各問題項目１２の右側に解答を表記するための右側解答表記部４５と、参考書１の右側ページにおいて問題解きを助ける裏面解説ページ１５と、この裏面解説ページ１５を左側に捲って左側の裏面問題ページ１１に重ねたとき、前記裏面問題ページ１１の右側解答表記部４５に重なって正答を判別及びマークする左端正答穿孔部８４と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図４ａ及び図４ｂに例示したスプリングに限定されることなく、書冊用ボンディング接着結束手段やバインディング結束手段を用いることもできる。
【００４１】
図５ａ及び図５ｂは、本考案による正答確認が容易な学習参考書のさらに他の具現例であって、スプリング結束部に対して上下に書冊を構成した例を示している。
【００４２】
すなわち、図５ａに示すように、本考案の学習参考書１は、上側ページにおいてスプリング結束部に対して平行に記載される学習内容を評価する問題ページ６と、この問題ページ６における各問題項目２の解答肢３の左側に解答を表記するための左上側解答表記部４６と、前記参考書１の下側ページにおいてスプリング結束部に対して平行に記載される学習内容の問題解きを助ける解説ページ９と、この解説ページ９の下側ページを上側に捲って上側の問題ページ６に重ねたとき、前記問題ページ６の左上側解答表記部４６に重なって正答を判別及びマークする左下端正答穿孔部８５と、から構成される。
【００４３】
図５ｂは、図５ａの学習参考書を一ページ捲った状態を示している。前記左下端正答穿孔部８５のある解説ページ９を上側に捲って重ねた後、広げられる面の上側ページにおいて学習内容を継続して評価する裏面問題ページ１１と、この裏面問題ページ１１における各問題項目１２の解答肢１３の右側に解答を表記するための右上側解答表記部４７と、前記参考書１の下側ページにおいて問題解きを助ける裏面解説ページ１５と、この裏面解説ページ１５を上側に捲って上側の裏面問題ページ１１に重ねたとき、前記裏面問題ページ１１の右側解答表記部４７に重なって正答を判別及びマークする右下端正答穿孔部８６と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図５ａ及び図５ｂに例示したスプリングに限定されることなく、書冊用ボンディング接着結束手段やバインディング結束手段を用いることもできる。
【００４４】
図６ａ及び図６ｂは、本考案による正答確認が容易な学習参考書のさらに他の具現例を示した図である。
【００４５】
すなわち、図６ａに示すように、学習参考書１は、左側ページにおいて学習内容を評価する問題ページ６と、この問題ページ６における問題項目２の上端に解答を表記するための上端解答表記部４８と、前記参考書１の右側ページにおいて問題解きを助ける解説ページ９と、この解説ページ９を左側に捲って左側の問題ページ６に重ねたとき、前記問題ページ６の上端解答表記部４８に重なって正答を判別及びマークする上端正答穿孔部８７と、から構成される。
【００４６】
図６ｂは、図６ａの学習参考書を一ページ捲った状態を示している。前記上端正答穿孔部８７のある解説ページ９を左側に捲って重ねた後、広げられる面の左側ページにおいて学習内容を継続して評価する裏面問題ページ１１と、この裏面問題ページ１１における問題項目１２の下端に解答を表記するための下端解答表記部４９と、参考書１の右側ページにおいて問題解きを助ける裏面解説ページ１５と、この裏面解説ページ１５を左側に捲って左側の裏面問題ページ１１に重ねたとき、前記裏面問題ページ１１の下端解答表記部４９に重なって正答を判別及びマークする下端正答穿孔部８８と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図６ａ及び図６ｂに例示したスプリングに限定されることなく、書冊用ボンディング接着結束手段やバインディング結束手段を用いることもできる。
【００４７】
図７ａ及び図７ｂは、本考案による正答確認が容易な学習参考書のさらに他の具現例を示した図である。
【００４８】
すなわち、図７ａに示すように、学習参考書１は、左側ページにおいて学習内容を評価する問題ページ６と、この問題ページ６における問題項目２の左側部に解答を表記するための左側部解答表記部５０と、前記参考書１の右側ページにおいて問題解きを助ける解説ページ９と、この解説ページ９を左側に捲って左側の問題ページ６に重ねたとき、前記問題ページ６の左側部解答表記部５０に重なって正答を判別及びマークする右側部正答穿孔部８９と、から構成される。
【００４９】
図７ｂは、図７ａの学習参考書を一ページ捲った状態を示している。前記右側部正答穿孔部８９のある解説ページ９を左側に捲って重ねた後、広げられる面の左側ページにおいて学習内容を継続して評価する裏面問題ページ１１と、この裏面問題ページ１１における問題項目１２の右側部に解答を表記するための右側部解答表記部５１と、右側ページにおいて問題解きを助ける裏面解説ページ１５と、この裏面解説ページ１５を左側に捲って左側の裏面問題ページ１１に重ねたとき、前記裏面問題ページ１１の右側部解答表記部５１に重なって正答を判別及びマークする左側部正答穿孔部９０と、から構成される。本考案の学習参考書１には、前記問題ページ６及び解説ページ９と前記裏面問題ページ１１及び裏面解説ページ１５とが繰り返されるように結束するスプリング結束部１０が備わる。前記学習参考書１の結束部１０は、図７ａ及び図７ｂに例示したスプリングに限定されることなく、書冊用ボンディング接着結束手段やバインディング結束手段を用いることもできる。
【図面の簡単な説明】
【００５０】
【図１ａ】本考案による正答確認が容易な学習参考書を示した図である。
【図１ｂ】図１ａの解答表記部４が、矩形状の代りに円状に形成される他の具現例を示した図である。
【図１ｃ】図１ａの解答表記部４が、矩形状の代りに三角形状に形成される他の具現例を示した図である。
【図１ｄ】図１ａの解答表記部４が、矩形状の代りに五角形状に形成される他の具現例を示した図である。
【図１ｅ】図１ａの解答表記部４が、矩形状の代りに星状に形成される他の具現例を示した図である。
【図２ａ】本考案による正答確認が容易な学習参考書の詳細な具現例を示した図である。
【図２ｂ】本考案による正答確認が容易な学習参考書の詳細な具現例を示した図である。
【図２ｃ】本考案による正答確認が容易な学習参考書の詳細な具現例として、図２ａの問題ページおよび解説ページの左右を逆方向に構成した例を示した図である。
【図２ｄ】本考案による正答確認が容易な学習参考書の詳細な具現例として、図２ｂの問題ページおよび解説ページの左右を逆方向に構成した例を示した図である。
【図３ａ】本考案による正答確認が容易な学習参考書のさらに他の具現例を示した図である。
【図３ｂ】本考案による正答確認が容易な学習参考書のさらに他の具現例を示した図である。
【図４ａ】本考案による正答確認が容易な学習参考書のさらに他の具現例を示した図である。
【図４ｂ】本考案による正答確認が容易な学習参考書のさらに他の具現例を示した図である。
【図５ａ】本考案による正答確認が容易な学習参考書のさらに他の具現例として、スプリング結束部に対して上下に書冊を構成した例を示した図である。
【図５ｂ】本考案による正答確認が容易な学習参考書のさらに他の具現例として、スプリング結束部に対して上下に書冊を構成した例を示した図である。
【図６ａ】本考案による正答確認が容易な学習参考書のさらに他の具現例を示した図である。
【図６ｂ】本考案による正答確認が容易な学習参考書のさらに他の具現例を示した図である。
【図７ａ】本考案による正答確認が容易な学習参考書のさらに他の具現例を示した図である。
【図７ｂ】本考案による正答確認が容易な学習参考書のさらに他の具現例を示した図である。
【図８】従来の学習参考書を示した図である。
【図９】従来の学習参考書を示した図である。
【符号の説明】
【００５１】
１    学習参考書
２    問題項目
３    解答肢
４    解答表記部
５    正答穿孔部
６    問題ページ
７    問題解説
８    正答穿孔部
９    解説ページ
１０  結束部
【図１ａ】
0003121961.tif 000003
【図１ｂ】
0003121961.tif 000004
【図１ｃ】
0003121961.tif 000005
【図１ｄ】
0003121961.tif 000006
【図１ｅ】
0003121961.tif 000007
【図２ａ】
0003121961.tif 000008
【図２ｂ】
0003121961.tif 000009
【図２ｃ】
0003121961.tif 000010
【図２ｄ】
0003121961.tif 000011
【図３ａ】
0003121961.tif 000012
【図３ｂ】
0003121961.tif 000013
【図４ａ】
0003121961.tif 000014
【図４ｂ】
0003121961.tif 000015
【図５ａ】
0003121961.tif 000016
【図５ｂ】
0003121961.tif 000017
【図６ａ】
0003121961.tif 000018
【図６ｂ】
0003121961.tif 000019
【図７ａ】
0003121961.tif 000020
【図７ｂ】
0003121961.tif 000021
【図８】
0003121961.tif 000022
【図９】
0003121961.tif 000023